(57)【要約】【課題】受信パッケージのバックボードへの実装有無に加え、受信パッケージの電源オフの検出結果に応じて、送信側の出力を制御し消費電力を低減すること。【解決手段】受信パッケージ３０は、受信部ＲＣＶを含み、電源Ｖｃｃの供給を受けると電源オン状態となり、電源Ｖｃｃの供給を受けないと電源オフ状態に設定される。状態検出部（検出線５０、電源Ｖｃｃ、接地電位ＧＮＤ、第１の抵抗Ｒ１および第２の抵抗Ｒ２の組合せ）は、送信部ＤＲＶおよび受信部ＲＣＶが信号伝送路を介して接続されているか否かを表す接続状態情報と、受信パッケージ３０の電源Ｖｃｃがオン状態かオフ状態かを表す電源状態情報とを検出する。送信制御部（送信部の制御信号用入力部Ｄ１）は、状態検出部の検出結果に応じて、送信部ＤＲＶによる送信信号の送信を停止する。【選択図】      図１
2014085765.tif 000002
【特許請求の範囲】
【請求項１】
所定の送信信号を生成する送信回路と、
前記送信回路により生成された送信信号を送信する送信部と、
前記送信部より送信された送信信号を受信する受信部と、
前記受信部を含み、電源の供給を受けると電源オン状態となり、前記電源の供給を受けないと電源オフ状態に設定される受信パッケージと、
前記送信部および前記受信部の間を接続または切断することができ、前記送信信号を前記送信部から前記受信部へ伝送するための信号伝送路と、
前記送信部および前記受信部が前記信号伝送路を介して接続されているか否かを表す接続状態情報と、前記受信パッケージの電源がオン状態かオフ状態かを表す電源状態情報とを検出する状態検出部と、
前記状態検出部の検出結果に応じて、前記送信部による前記送信信号の送信を停止する送信制御部とを備えた信号伝送回路。
【請求項２】
前記状態検出部が、前記接続状態情報で前記送信部および前記受信部が接続されていない状態を表しているか、または、電源状態情報で前記受信パッケージの電源がオフ状態を表している場合に、前記送信制御部は、前記送信部による前記送信信号の送信を停止する請求項１に記載の信号伝送回路。
【請求項３】
前記状態検出部は、
前記接続状態情報で前記送信部および前記受信部が接続されていない状態を表しているか、または、電源状態情報で前記受信パッケージの電源がオフ状態を表している場合に、ＬＯＷレベルの信号を前記送信制御部へ入力し、
前記接続状態情報で前記送信部および前記受信部が接続している状態を表し、電源状態情報で前記受信パッケージの電源がオン状態を表している場合に、ＨＩＧＨレベルの信号を前記送信制御部へ入力し、
前記送信制御部は、
前記状態検出部によりＨＩＧＨレベルの信号を受けた場合、前記送信部による前記送信信号の送信を停止せず、
前記状態検出部によりＬＯＷレベルの信号を受けた場合、前記送信部による前記送信信号の送信を停止する請求項２に記載の信号伝送回路。
【請求項４】
前記状態検出部は、
前記受信パッケージに設けられた電源と、
前記送信部と前記電源を接続する検出線と、
前記検出線に接続された接地電位および前記送信部を含む送信パッケージに設けられ、前記接地電位および前記検出線の間で前記接地電位および前記検出線の双方に接続された第１の抵抗部と、
前記受信パッケージに設けられ、前記電源および前記検出線の間で前記電源および前記検出線の双方に接続された第２の抵抗部とを備え、
前記送信制御部は、前記送信部のうちで前記検出線に接続された制御信号用入力部である請求項３に記載の信号伝送回路。
【請求項５】
前記送信部の制御信号入力部のＨＩＧＨレベルの入力規格電圧値［ＤＲＶＶＩＨ］と、電源の電圧値［Ｖｃｃ］と、第１の抵抗部の抵抗値［Ｒ１］と、第２の抵抗部の抵抗値［Ｒ２］との関係は、
［ＤＲＶＶＩＨ］  ＜  ［Ｖｃｃ］×［［Ｒ１］／（［Ｒ１］＋［Ｒ２］）］
である請求項４に記載の信号伝送回路。
【請求項６】
前記送信回路は、前記状態検出部の検出結果に応じて、前記所定の送信信号の生成を停止する請求項１に記載の信号伝送回路。
【請求項７】
前記状態検出部が、前記接続状態情報で前記送信部および前記受信部が接続されていない状態を表しているか、または、電源状態情報で前記受信パッケージの電源がオフ状態を表している場合に、前記送信制御部は、前記送信部による前記送信信号の送信を停止し、前記送信回路は、前記所定の送信信号の生成を停止する請求項６に記載の信号伝送回路。
【請求項８】
前記状態検出部は、
前記接続状態情報で前記送信部および前記受信部が接続されていない状態を表しているか、または、電源状態情報で前記受信パッケージの電源がオフ状態を表している場合に、ＬＯＷレベルの信号を前記送信制御部へ入力し、
前記接続状態情報で前記送信部および前記受信部が接続している状態を表し、電源状態情報で前記受信パッケージの電源がオン状態を表している場合に、ＨＩＧＨレベルの信号を前記送信制御部へ入力し、
前記送信制御部は、
前記状態検出部によりＨＩＧＨレベルの信号を受けた場合、前記送信部による前記送信信号の送信を停止せず、
前記状態検出部によりＬＯＷレベルの信号を受けた場合、前記送信部による前記送信信号の送信を停止し、
前記送信回路は、
前記状態検出部によりＨＩＧＨレベルの信号を受けた場合、前記所定の送信信号の生成を停止せず、
前記状態検出部によりＬＯＷレベルの信号を受けた場合、前記所定の送信信号の生成を停止する請求項７に記載の信号伝送回路。
【請求項９】
前記状態検出部は、
前記受信パッケージに設けられた電源と、
前記送信部と前記電源を接続するとともに、前記送信回路と前記電源を接続する検出線と、
前記検出線に接続された接地電位および前記送信部を含む送信パッケージに設けられ、前記接地電位および前記検出線の間で前記接地電位および前記検出線の双方に接続された第１の抵抗部と、
前記受信パッケージに設けられ、前記電源および前記検出線の間で前記電源および前記検出線の双方に接続された第２の抵抗部とを備え、
前記送信制御部は、前記送信部のうちで前記検出線に接続された制御信号用入力部である請求項８に記載の信号伝送回路。
【請求項１０】
前記送信部の制御信号入力部のＨＩＧＨレベルの入力規格電圧値［ＤＲＶＶＩＨ］と、電源の電圧値［Ｖｃｃ］と、第１の抵抗部の抵抗値［Ｒ１］と、第２の抵抗部の抵抗値Ｒ２との関係は、
［ＤＲＶＶＩＨ］＜［Ｖｃｃ］×［［Ｒ１］／（［Ｒ１］＋［Ｒ２］）］
であって、
前記送信回路の制御信号入力部のＨＩＧＨレベルの入力規格電圧値［ＳＥＮＤＶＩＨ］と、電源の電圧値Ｖｃｃと、第１の抵抗部の抵抗値［Ｒ１］と、第２の抵抗部の抵抗値Ｒ２との関係は、
［ＳＥＮＤＶＩＨ］＜［Ｖｃｃ］×［［Ｒ１］／（［Ｒ１］＋［Ｒ２］）］
である請求項９に記載の信号伝送回路。
【発明の詳細な説明】
【技術分野】
【０００１】
本発明は、信号伝送回路に関し、例えば、信号の送信側の出力を制御して消費電力を低減する信号伝送回路に関する。
【背景技術】
【０００２】
近年、情報処理装置は、電源供給用のバックボードに、各機能別にパッケージ化された回路を実装して構成されている。これにより、情報処理装置を拡張しやすくすることができる。また、情報処理装置の開発または設計内容の正当性を確認するための試験を容易に行うことができる。
【０００３】
ここで、複数の機能別パッケージをバックボード中心に実装しようとすると、機能別パッケージはプリント基板化される。そして、機能別のパッケージ間の信号の送受は、バックボードを介して行われる。
【０００４】
ところが、種々の原因によりバックボードを有する情報処理装置自体の消費電力が無視できなくなっており、それぞれ原因に応じた対処措置がとられている。
【０００５】
特許文献１には、バックボードに、送信パッケージと受信パッケージを実装することができる信号伝送回路が開示されている。
【０００６】
特許文献１に記載の技術では、信号伝送回路が、受信パッケージがバックボードに実装されているか否かを確認する。そして、受信パッケージがバックボードに実装されていない場合に、信号伝送回路は、送信パッケージの出力ドライバを駆動せず、送信パッケージの出力を停止する。一方、受信パッケージがバックボードに実装されている場合に、信号伝送回路は、送信パッケージの出力ドライバを駆動して、送信パッケージの出力を受信パッケージへ入力する。
【先行技術文献】
【特許文献】
【０００７】
【特許文献１】特開平１１−３０５８９４号公報
【発明の概要】
【発明が解決しようとする課題】
【０００８】
しかしながら、特許文献１に記載の技術では、信号伝送回路は、送信パッケージ側からの出力の制御を、受信パッケージがバックボードに実装されたか否かのみによって、監視している。このため、受信パッケージが何らかの原因で電源断の状態になっている場合であっても、送信パッケージの出力ドライバは、受信パッケージがバックボードに実装されていれば、バックボードを介して信号を伝送しようとする。この結果、送信パッケージは無駄な電力を消費し続けてしまうという問題があった。
【０００９】
すなわち、特許文献１に記載の技術では、送信パッケージからの出力を制御するための検出信号が受信パッケージ側で接地電位（ＧＮＤ）に接続され、送信パッケージ側では抵抗を介して電源に接続されている。このような構成を適用しているため、特許文献１に記載の技術では、信号伝送回路は、通常動作時にＬＯＷレベルの制御信号を検出し、受信パッケージがバックボードに実装されていない場合にＨＩＧＨレベルの制御信号を検出するというアクティブＬＯＷの制御方法を採用している。このため、信号伝送回路は、受信パッケージの電源オフ（電源断）時と通常動作とを区別することができない。
【００１０】
本発明は、このような事情に鑑みてなされたものであり、本発明の目的は、受信パッケージのバックボードへの実装有無に加え、受信パッケージの電源オフの検出結果に応じて、送信側の出力を制御し消費電力を低減することができる信号伝送回路を提供することにある。
【課題を解決するための手段】
【００１１】
本発明の信号伝送回路は、所定の送信信号を生成する送信回路と、前記送信回路により生成された送信信号を送信する送信部と、前記送信ドライバにより送信された送信信号を受信する受信部と、前記受信部を含み、電源の供給を受けると電源オン状態となり、前記電源の供給を受けないと電源オフ状態に設定される受信パッケージと、前記送信部および前記受信部の間を接続または切断することができ、前記送信信号を前記送信部から前記受信部へ伝送するための信号伝送路と、前記送信部および前記受信部が前記信号伝送路を介して接続されているか否かを表す接続状態情報と、前記受信パッケージの電源がオン状態かオフ状態かを表す電源状態情報とを検出する状態検出部と、前記状態検出部の検出結果に応じて、前記送信部による前記送信信号の送信を停止する送信制御部とを備えている。
【発明の効果】
【００１２】
本発明にかかる信号伝送回路によれば、受信パッケージのバックボードへの実装有無に加え、受信パッケージの電源オフの検出結果に応じて、送信側の出力を制御し消費電力を低減することができる。
【図面の簡単な説明】
【００１３】
【図１】本発明の第１の実施の形態における信号伝送回路の構成を示す図である。
【図２】本発明の第２の実施の形態における信号伝送回路の構成を示す図である。
【図３】本発明の第３の実施の形態における信号伝送回路の構成を示す図である。
【図４】本発明の第４の実施の形態における信号伝送回路の構成を示す図である。
【発明を実施するための形態】
【００１４】
＜第１の実施の形態＞
本発明の第１の実施の形態における信号伝送回路１０００について、図に基づいて説明する。
【００１５】
図１は、本発明の第１の実施の形態における信号伝送回路１０００の構成を示す。
【００１６】
図１に示されるように、信号伝送回路１０００は、送信パッケージ１０と、バックボード２０と、受信パッケージ３０とを有する。また、送信パッケージ１０と受信パッケージ３０は、バックボード２０を介して、信号伝送線４０と検出線５０により接続されている。
【００１７】
送信パッケージ１０には、送信回路６０と、送信部ＤＲＶと、第１の抵抗Ｒ１と、接地電位ＧＮＤとが設けられている。
【００１８】
受信パッケージ２０には、受信部ＲＣＶと、電源Ｖｃｃと、第２の抵抗Ｒ２とが設けられている。受信パッケージ２０は、受信部ＲＣＶを含み、電源Ｖｃｃの供給を受けると電源オン状態となり、電源Ｖｃｃの供給を受けないと電源オフ状態に設定される。
【００１９】
バックボード２０には、信号伝送線２０および検出線５０の一部が、架線される。送信パッケージ１０および受信パッケージ３０は、バックボード３０に実装することができる。
【００２０】
信号伝送線４０は、送信回路６０により生成される送信信号を送信部ＤＲＶから受信部ＲＣＶへ伝送するために、送信パッケージ１０および受信パッケージ３０を、バックボード２０を介して接続する。より具体的には、図１に示されるように、信号伝送線４０は、送信部ＤＲＶと受信部ＲＣＶとを、バックボード２０を介して、接続する。また、信号伝送線４０は、送信部ＤＲＶと受信部ＲＣＶとを接続または切断することができる。なお、信号伝送線４０は、本発明の信号伝送路に対応する。
【００２１】
検出線５０は、送信部ＤＲＶと電源Ｖｃｃを接続する。検出線５０は、送信パッケージ１０および受信パッケージ３０を、バックボード２０を介して接続する。より具体的には、図１に示されるように、検出線５０は、受信パッケージ３０上の電源Ｖｃｃと、送信パッケージ１０上の送信部ＤＲＶとを接続する。すなわち、受信パッケージ３０側において、検出線５０は、第２の抵抗Ｒ２を介して、電源Ｖｃｃに接続されている。また、検出線５０のうち、電源Ｖｃｃ側の端部には、第２の抵抗Ｒ２が接続されている。検出線５０のうち、送信パッケージ１０側は、送信部ＤＲＶおよび第１の抵抗Ｒ１に接続されている。また、検出線５０は、第１の抵抗Ｒ１を介して、接地電位ＧＮＤに接続されている。すなわち、送信パッケージ１０側において、検出線５０は、送信部ＤＲＶに接続されるとともに、第１の抵抗Ｒ１を介して接地電位ＧＮＤに接続されている。
【００２２】
図１に示されるように、送信回路６０は、送信パッケージ１０に設けられている。送信回路６０は、送信部ＤＲＶと接続されている。送信回路６０は、所定の送信信号を生成する。
【００２３】
送信部ＤＲＶは、送信パッケージ１０に設けられている。送信部ＤＲＶは、送信回路６０により生成された送信信号を、信号伝送線４０を用いて、受信部ＲＣＶへ送信する。なお、送信部ＤＲＶは、送信ドライバとも呼ばれる。
【００２４】
また、送信部ＤＲＶの制御信号用入力部Ｄ１は、検出線５０に接続されている。送信部ＤＲＶの制御信号用入力部Ｄ１は、本発明の送信制御部に対応する・
第１の抵抗Ｒ１は、図１に示されるように、送信パッケージ１０に設けられている。第１の抵抗Ｒ１は、接地電位ＧＮＤおよび検出線５０の間に設けられ、接地電位ＧＮＤおよび検出線５０の双方に接続されている。
【００２５】
図１に示されるように、接地電位ＧＮＤは、送信パッケージ１０に設けられている。接地電位ＧＮＤは、第１の抵抗Ｒ１を介して、検出線５０に接続されている。
【００２６】
受信部ＲＣＶは、受信パッケージ３０に設けられている。受信部ＲＣＶは、信号伝送線４０を介して、送信部ＤＲＶと接続されている。受信部ＲＣＶは、送信部ＤＲＶにより送信された送信信号を受信する。
【００２７】
電源Ｖｃｃは、受信パッケージ３０に設けられている。電源Ｖｃｃは、第２の抵抗Ｒ２を介して、検出線５０に接続されている。
【００２８】
第２の抵抗Ｒ２は、図１に示されるように、受信パッケージ３０に設けられている。第２の抵抗Ｒ２は、電源Ｖｃｃおよび検出線５０の間に設けられ、電源Ｖｃｃおよび検出線５０の双方に接続されている。
【００２９】
なお、検出線５０、電源Ｖｃｃ、第１の抵抗Ｒ１、第２の抵抗Ｒ２および接地電位ＧＮＤの組合せは、本発明の状態検出部を構成する。
【００３０】
この状態検出部は、送信部ＤＲＶおよび受信部ＲＣＶが信号伝送線４０を介して接続されているか否かを表す接続状態情報と、受信パッケージ３０の電源がオン状態かオフ状態かを表す電源状態情報とを検出する。
【００３１】
そして、前述の状態検出部は、接続状態情報で送信部ＤＲＶおよび受信部ＲＣＶが接続されていない状態を表しているか、または、電源状態情報で受信パッケージ３０の電源Ｖｃｃがオフ状態を表している場合に、ＬＯＷレベルの信号を送信部ＤＲＶの制御信号用入力部Ｄ１へ入力する。一方、状態検出部は、接続状態情報で送信部ＤＲＶおよび受信部ＲＣＶが接続している状態を表し、電源状態情報で受信パッケージ３０の電源Ｖｃｃがオン状態を表している場合に、ＨＩＧＨレベルの信号を送信部ＤＲＶの制御信号用入力部Ｄ１へ入力する。
【００３２】
また、送信部ＤＲＶの制御信号用入力部Ｄ１は、状態検出部の検出結果に応じて、送信部ＤＲＶによる送信信号の送信を停止する。具体的には、送信部ＤＲＶの制御信号用入力部Ｄ１は、状態検出部によりＨＩＧＨレベルの信号を受けた場合、送信部ＤＲＶによる送信信号の送信を停止せず、送信信号を送信し続ける。一方、送信部ＤＲＶの制御信号用入力部Ｄ１は、状態検出部によりＬＯＷレベルの信号を受けた場合、送信部ＤＲＶによる送信信号の送信を停止する。
【００３３】
また、送信部ＤＲＶの制御信号用入力部Ｄ１のＨＩＧＨレベルの入力規格電圧値［ＤＲＶＶＩＨ］は、以下の式（１）で示す関係を満たすように設定されている。なお、送信部ＤＲＶの制御信号用入力部Ｄ１のＨＩＧＨレベルの入力規格電圧値［ＤＲＶＶＩＨ］は、制御信号用入力部Ｄ１に入力される電圧をＨＩＧＨレベルと判断するための基準値である。
【００３４】
なお、［Ｖｃｃ］は電源Ｖｃｃの電圧値であり、［Ｒ１］は第１の抵抗部Ｒ１の抵抗値であり、［Ｒ２］は第２の抵抗部Ｒ２の抵抗値である。
【００３５】
［ＤＲＶＶＩＨ］  ＜  ［Ｖｃｃ］×［［Ｒ１］／（［Ｒ１］＋［Ｒ２］）］    ・・・（１）
次に、本発明の第１の実施の形態における信号伝送回路１０００の動作について、説明する。ここで、送信パッケージ１０は、常に、バックボード３０に実装されているものとする。
【００３６】
まず、受信パッケージ３０がバックボード２０に実装され、さらに電源Ｖｃｃがオンされている場合について、説明する。
【００３７】
この場合、送信部ＤＲＶと受信部ＲＣＶは接続される。このため、状態検出部は、接続状態情報で送信部ＤＲＶおよび受信部ＲＣＶが接続している状態を表す。また、受信パッケージ３０の電源Ｖｃｃがオンされている。このため、状態検出部は、電源状態情報で受信パッケージ３０の電源Ｖｃｃがオン状態であることを表す。
【００３８】
そして、電源Ｖｃｃの電圧が第２の抵抗Ｒ２を介して検出線５０および第１の抵抗Ｒ１に印加される。このため、検出線５０の信号線レベルは、［Ｖｃｃ］×［［Ｒ１］／（［Ｒ１］＋［Ｒ２］）］となり、これが送信部ＤＲＶの制御信号用入力部Ｄ１へ入力電圧となる。この検出線５０の信号レベルは、送信部ＤＲＶの制御信号用入力部Ｄ１のＨＩＧＨレベルの入力規格電圧値［ＤＲＶＶＩＨ］よりも大きい。したがって、状態検出部は、ＨＩＧＨレベルの信号を送信部ＤＲＶの制御信号用入力部Ｄ１へ入力する。
【００３９】
そして、送信部ＤＲＶの制御信号用入力部Ｄ１は、状態検出部によりＨＩＧＨレベルの信号を受けて、送信部ＤＲＶによる送信信号の送信を停止せず、送信信号を送信し続ける。
【００４０】
次に、受信パッケージ３０がバックボード２０に実装されていない場合について、説明する。
【００４１】
この場合、送信部ＤＲＶと受信部ＲＣＶは接続されていない。このため、状態検出部は、接続状態情報で送信部ＤＲＶおよび受信部ＲＣＶが接続されていない状態を表す。
【００４２】
このとき、電源Ｖｃｃの電圧は、第２の抵抗Ｒ２を介して検出線５０および第１の抵抗Ｒ１に印加されることはない。すなわち、検出線５０の信号レベルは、第１の抵抗Ｒ１および第２の抵抗Ｒ２の並行抵抗による接地電位ＧＮＤへのプルダウンとなる。検出線５０の信号レベルは、送信部ＤＲＶの制御信号用入力部Ｄ１のＨＩＧＨレベルの入力規格電圧値［ＤＲＶＶＩＨ］よりも小さくなる。したがって、状態検出部は、ＬＯＷレベルの信号を送信部ＤＲＶの制御信号用入力部Ｄ１へ入力する。
【００４３】
そして、送信部ＤＲＶの制御信号用入力部Ｄ１は、状態検出部によりＬＯＷレベルの信号を受けて、送信部ＤＲＶによる送信信号の送信を停止する。
【００４４】
次に、受信パッケージ３０がバックボード２０に実装されているが、電源Ｖｃｃがオフになっている場合について、説明する。
【００４５】
この場合、送信部ＤＲＶと受信部ＲＣＶは接続される。このため、状態検出部は、接続状態情報で送信部ＤＲＶおよび受信部ＲＣＶが接続している状態を表す。また、受信パッケージ３０の電源Ｖｃｃがオフにされている。このため、状態検出部は、電源状態情報で受信パッケージ３０の電源Ｖｃｃがオフ状態であることを表す。
【００４６】
このとき、電源Ｖｃｃの電圧は、第２の抵抗Ｒ２を介して検出線５０および第１の抵抗Ｒ１に印加されることはない。すなわち、受信パッケージ３０がバックボード２０に実装されていない場合と同様に、検出線５０の信号レベルは、第１の抵抗Ｒ１および第２の抵抗Ｒ２の並行抵抗による接地電位ＧＮＤへのプルダウンとなる。検出線５０の信号レベルは、送信部ＤＲＶの制御信号用入力部Ｄ１のＨＩＧＨレベルの入力規格電圧値［ＤＲＶＶＩＨ］よりも小さくなる。したがって、状態検出部は、ＬＯＷレベルの信号を送信部ＤＲＶの制御信号用入力部Ｄ１へ入力する。
【００４７】
そして、送信部ＤＲＶの制御信号用入力部Ｄ１は、状態検出部によりＬＯＷレベルの信号を受けて、送信部ＤＲＶによる送信信号の送信を停止する。
【００４８】
以上のように、本発明の第１の実施の形態における信号伝送回路１０００は、送信回路６０と、送信部ＤＲＶと、受信部ＲＣＶと、受信パッケージ３０と、信号伝送路（信号伝送線５０）と、状態検出部（検出線５０、電源Ｖｃｃ、接地電位ＧＮＤ、第１の抵抗Ｒ１および第２の抵抗Ｒ２の組合せ）と、送信制御部（送信部の制御信号用入力部Ｄ１）とを備えている。送信回路６０は、所定の送信信号を生成する。送信部ＤＲＶは、送信回路６０により生成された送信信号を送信する。受信部ＲＣＶは、送信部ＤＲＶより送信された送信信号を受信する。受信パッケージ３０は、受信部ＲＣＶを含み、電源Ｖｃｃの供給を受けると電源オン状態となり、電源Ｖｃｃの供給を受けないと電源オフ状態に設定される。信号伝送路は、送信部ＤＲＶおよび受信部ＲＣＶの間を接続または切断することができ、送信信号を送信部ＤＲＶから受信部ＲＣＶへ伝送するためのものである。状態検出部は、送信部ＤＲＶおよび受信部ＲＣＶが信号伝送路を介して接続されているか否かを表す接続状態情報と、受信パッケージ３０の電源Ｖｃｃがオン状態かオフ状態かを表す電源状態情報とを検出する。送信制御部は、状態検出部の検出結果に応じて、送信部ＤＲＶによる送信信号の送信を停止する。
【００４９】
このように、状態検出部は、接続状態情報として、送信部ＤＲＶおよび受信部ＲＣＶが信号伝送路を介して接続されているか否かを表す情報を取得するとともに、電源状態情報として、受信パッケージ３０の電源Ｖｃｃがオン状態かオフ状態かを表す情報を検出する。これにより、信号伝送回路１０００は、送信部ＤＲＶおよび受信部ＲＣＶの間の接続状態から、受信パッケージがバックボードに実装されているか否かの情報を取得できる。さらに、信号伝送回路１０００は、受信パッケージ３０のバックボード２０への実装有無に関する情報に加えて、電源Ｖｃｃのオンオフ状態を表す情報を取得できる。また、送信制御部は、状態検出部の検出結果に応じて、送信部ＤＲＶによる送信信号の送信を停止する。したがって、本発明の信号伝送回路１０００によれば、受信パッケージ３０のバックボー２０への実装有無に加え、受信パッケージ３０の電源オフの検出結果に応じて、送信側の出力を制御し消費電力を低減することができる。
【００５０】
また、本発明の第１の実施の形態における信号伝送回路１０００において、状態検出部が、接続状態情報で送信部ＤＣＶおよび受信部ＲＣＶが接続されていない状態を表しているか、または、電源状態情報で受信パッケージ３０の電源Ｖｃｃがオフ状態を表している場合に、送信制御部は、送信部ＤＣＶによる送信信号の送信を停止する。
【００５１】
これにより、本発明の信号伝送回路１０００は、接続状態情報で送信部ＤＣＶおよび受信部ＲＣＶが接続されていない状態を表していることに基づいて、受信パッケージがバックボードに実装されていないとの情報を取得できる。そして、受信パッケージがバックボードに実装されていない場合に、送信制御部は、送信部ＤＣＶによる送信信号の送信を停止する。これにより、信号伝送回路１０００は、送信側の出力を制御するので、消費電力を低減することができる。また、本発明の信号伝送回路１０００では、電源状態情報で受信パッケージ３０の電源Ｖｃｃがオフ状態を表している場合に、送信制御部は送信部ＤＣＶによる送信信号の送信を停止する。これにより、信号伝送回路１０００は、送信側の出力を制御するので、消費電力を低減することができる。このように、本発明の信号伝送回路１０００によれば、受信パッケージのバックボードへの実装が無い場合に加え、受信パッケージの電源がオフの場合に、送信側の出力を制御し消費電力を低減することができる。
【００５２】
また、本発明の第１の実施の形態における信号伝送回路１０００において、状態検出部は、接続状態情報で送信部ＤＲＶおよび受信部ＲＣＶが接続されていない状態を表しているか、または、電源状態情報で受信パッケージ３０の電源Ｖｃｃがオフ状態を表している場合に、ＬＯＷレベルの信号を送信制御部へ入力する。一方、状態検出部は、接続状態情報で送信部ＤＲＶおよび受信部ＲＣＶが接続している状態を表し、電源状態情報で受信パッケージ３０の電源Ｖｃｃがオン状態を表している場合に、ＨＩＧＨレベルの信号を送信制御部へ入力する。送信制御部は、状態検出部によりＨＩＧＨレベルの信号を受けた場合、送信部ＤＲＶによる送信信号の送信を停止しない。一方、送信制御部は、状態検出部によりＬＯＷレベルの信号を受けた場合、送信部ＤＲＶによる送信信号の送信を停止する。
【００５３】
このように、送信制御部は、状態検出部によりＨＩＧＨレベルの信号を受けたときに送信部ＤＲＶに対して送信信号の送信を継続させて、状態検出部によりＬＯＷレベルの信号を受けたときに送信部ＤＲＶに対して送信信号の送信を停止させるように、設定されている。そして、状態検出部は、接続状態情報で送信部ＤＲＶおよび受信部ＲＣＶが接続されていない状態を表しているか、または、電源状態情報で受信パッケージ３０の電源Ｖｃｃがオフ状態を表している場合に、ＬＯＷレベルの信号を送信制御部へ入力する。一方、状態検出部は、接続状態情報で送信部ＤＲＶおよび受信部ＲＣＶが接続している状態を表し、電源状態情報で受信パッケージ３０の電源Ｖｃｃがオン状態を表している場合に、ＨＩＧＨレベルの信号を送信制御部へ入力する。これにより、アクティブＨＩＧＨの制御方法を適用している。すなわち、受信パッケージ３０がバックボード２０に実装され、かつ受信パッケージ３０の電源Ｖｃｃがオン状態のとき、状態検出部は、ＨＩＧＨレベルの制御信号を送信制御部へ入力することができる。一方、受信パッケージ３０がバックボード２０に実装されていないか、または受信パッケージ３０の電源Ｖｃｃがオフ状態のとき、状態検出部は、ＬＯＷレベルの制御信号を送信制御部へ入力することができる。以上のようにして、本発明の信号伝送回路１０００では、アクティブＨＩＧＨの制御方法を適用することで、受信パッケージのバックボードへの実装が無い場合に加え、受信パッケージの電源がオフの場合に、送信側の出力を制御し消費電力を低減することができる。
【００５４】
また、本発明の第１の実施の形態における信号伝送回路１０００において、状態検出部は、電源Ｖｃｃと、検出線５０と、第１の抵抗Ｒ１と、第２の抵抗Ｒ２とを備えている。電源Ｖｃｃは、受信パッケージ３０に設けられている。検出線５０は、送信部ＤＲＶと電源Ｖｃｃを接続する。第１の抵抗Ｒ１は、検出線５０に接続された接地電位ＧＮＤおよび送信部ＤＲＶを含む送信パッケージ１０に設けられ、接地電位ＧＮＤおよび検出線５０の間で接地電位ＧＮＤおよび検出線５０の双方に接続されている。第２の抵抗Ｒ２は、受信パッケージ３０に設けられ、電源Ｖｃｃおよび検出線５０の間で電源Ｖｃｃおよび検出線５０の双方に接続されている。そして、送信制御部は、送信部ＤＲＶのうちで検出線５０に接続された制御信号用入力部Ｄ１である。これにより、状態検出部を簡単な部品構成で構成することができる。
【００５５】
また、本発明の第１の実施の形態における信号伝送回路１０００において、送信部ＤＲＶの制御信号入力部Ｄ１のＨＩＧＨレベルの入力規格電圧値［ＤＲＶＶＩＨ］と、電源の電圧値［Ｖｃｃ］と、第１の抵抗部の抵抗値［Ｒ１］と、第２の抵抗部の抵抗値［Ｒ２］との関係は、［ＤＲＶＶＩＨ］  ＜  ［Ｖｃｃ］×［［Ｒ１］／（［Ｒ１］＋［Ｒ２］）］である。
【００５６】
これにより、簡単な部品構成と簡単な電圧条件設定で、アクティブＨＩＧＨの制御方法を信号伝送回路１０００に適用することはできる。すなわち、上述した部品構成と電圧条件設定により、受信パッケージ３０がバックボード２０に実装され、かつ受信パッケージ３０の電源Ｖｃｃがオン状態のとき、状態検出部は、ＨＩＧＨレベルの制御信号を送信制御部へ入力することができる。一方、上述した部品構成と電圧条件設定により、受信パッケージ３０がバックボード２０に実装されていないか、または受信パッケージ３０の電源Ｖｃｃがオフ状態のとき、状態検出部は、ＬＯＷレベルの制御信号を送信制御部へ入力することができる。
【００５７】
＜第２の実施の形態＞
本発明の第２の実施の形態における信号伝送回路１０００Ａについて、図に基づいて説明する。
【００５８】
図２は、本発明の第２の実施の形態における信号伝送回路１０００Ａの構成を示す。
【００５９】
図２に示されるように、信号伝送回路１０００Ａは、送信パッケージ１０と、バックボード２０と、受信パッケージ３０とを有する。また、送信パッケージ１０と受信パッケージ３０は、バックボード２０を介して、信号伝送線４０と検出線５０により接続されている。
【００６０】
ここで、図１と図２を対比する。図１では、受信パッケージ３０の電源Ｖｃｃと検出線５０とが、第２の抵抗Ｒ２を介して、接続されている。これに対して、図２では、受信パッケージ３０の電源Ｖｃｃは検出線５０に直接接続されている。すなわち、受信パッケージ２０には、受信部ＲＣＶと、電源Ｖｃｃとが設けられている。
【００６１】
以降の説明では、第１の実施の形態における信号伝送回路１０００の説明を共通する内容は、省略する。
【００６２】
このとき、送信部ＤＲＶの制御信号用入力部Ｄ１のＨＩＧＨレベルの入力規格電圧値［ＤＲＶＶＩＨ］は、以下の式（２）で示す関係を満たすように設定されている。この式（２）は、式（１）に［Ｒ２］＝０を代入して得られる。
【００６３】
なお、［Ｖｃｃ］は、前述と同様に、電源Ｖｃｃの電圧値である。
【００６４】
［ＤＲＶＶＩＨ］  ＜  ［Ｖｃｃ］      ・・・（２）
次に、本発明の第２の実施の形態における信号伝送回路１０００Ａの動作について、説明する。ここで、送信パッケージ１０は、常に、バックボード３０に実装されているものとする。
【００６５】
まず、受信パッケージ３０がバックボード２０に実装され、さらに電源Ｖｃｃがオンされている場合について、説明する。
【００６６】
この場合、送信部ＤＲＶと受信部ＲＣＶは接続される。このため、状態検出部は、接続状態情報で送信部ＤＲＶおよび受信部ＲＣＶが接続している状態を表す。また、受信パッケージ３０の電源Ｖｃｃがオンされている。このため、状態検出部は、電源状態情報で受信パッケージ３０の電源Ｖｃｃがオン状態であることを表す。
【００６７】
そして、電源Ｖｃｃの電圧が検出線５０および第１の抵抗Ｒ１に印加される。このため、検出線５０の信号線レベルは、［Ｖｃｃ］となり、これが送信部ＤＲＶの制御信号用入力部Ｄ１へ入力電圧となる。この検出線５０の信号レベルは、送信部ＤＲＶの制御信号用入力部Ｄ１のＨＩＧＨレベルの入力規格電圧値［ＤＲＶＶＩＨ］よりも大きい。したがって、状態検出部は、ＨＩＧＨレベルの信号を送信部ＤＲＶの制御信号用入力部Ｄ１へ入力する。
【００６８】
そして、送信部ＤＲＶの制御信号用入力部Ｄ１は、状態検出部によりＨＩＧＨレベルの信号を受けて、送信部ＤＲＶによる送信信号の送信を停止せず、送信信号を送信し続ける。
【００６９】
次に、受信パッケージ３０がバックボード２０に実装されていない場合について、説明する。
【００７０】
この場合、送信部ＤＲＶと受信部ＲＣＶは接続されていない。このため、状態検出部は、接続状態情報で送信部ＤＲＶおよび受信部ＲＣＶが接続されていない状態を表す。
【００７１】
このとき、電源Ｖｃｃの電圧は、検出線５０および第１の抵抗Ｒ１に印加されることはない。すなわち、検出線５０の信号レベルは、第１の抵抗Ｒ１による接地電位ＧＮＤへのプルダウンとなる。検出線５０の信号レベルは、送信部ＤＲＶの制御信号用入力部Ｄ１のＨＩＧＨレベルの入力規格電圧値［ＤＲＶＶＩＨ］よりも小さくなる。したがって、状態検出部は、ＬＯＷレベルの信号を送信部ＤＲＶの制御信号用入力部Ｄ１へ入力する。
【００７２】
そして、送信部ＤＲＶの制御信号用入力部Ｄ１は、状態検出部によりＬＯＷレベルの信号を受けて、送信部ＤＲＶによる送信信号の送信を停止する。
【００７３】
次に、受信パッケージ３０がバックボード２０に実装されているが、電源Ｖｃｃがオフになっている場合について、説明する。
【００７４】
この場合、送信部ＤＲＶと受信部ＲＣＶは接続される。このため、状態検出部は、接続状態情報で送信部ＤＲＶおよび受信部ＲＣＶが接続している状態を表す。また、受信パッケージ３０の電源Ｖｃｃがオフにされている。このため、状態検出部は、電源状態情報で受信パッケージ３０の電源Ｖｃｃがオフ状態であることを表す。
このとき、電源Ｖｃｃの電圧は、検出線５０および第１の抵抗Ｒ１に印加されることはない。すなわち、受信パッケージ３０がバックボード２０に実装されていない場合と同様に、検出線５０の信号レベルは、第１の抵抗Ｒ１による接地電位ＧＮＤへのプルダウンとなる。検出線５０の信号レベルは、送信部ＤＲＶの制御信号用入力部Ｄ１のＨＩＧＨレベルの入力規格電圧値［ＤＲＶＶＩＨ］よりも小さくなる。したがって、状態検出部は、ＬＯＷレベルの信号を送信部ＤＲＶの制御信号用入力部Ｄ１へ入力する。
【００７５】
そして、送信部ＤＲＶの制御信号用入力部Ｄ１は、状態検出部によりＬＯＷレベルの信号を受けて、送信部ＤＲＶによる送信信号の送信を停止する。
【００７６】
以上のような構成を有する信号伝送回路１０００Ａであっても、第１の実施の形態における信号伝送回路１０００と同様の効果を奏することができる。すなわち、本発明の信号伝送回路１０００Ａによれば、受信パッケージのバックボードへの実装有無に加え、受信パッケージの電源オフの検出結果に応じて、送信側の出力を制御し消費電力を低減することができる。
【００７７】
また、本発明の第２の実施の形態における信号伝送回路１０００Ａにおいて、状態検出部は、電源Ｖｃｃと、検出線５０と、第１の抵抗Ｒ１とを備えている。電源Ｖｃｃは、受信パッケージ３０に設けられている。検出線５０は、送信部ＤＲＶと電源Ｖｃｃを接続する。第１の抵抗Ｒ１は、検出線５０に接続された接地電位ＧＮＤおよび送信部ＤＲＶを含む送信パッケージ１０に設けられ、接地電位ＧＮＤおよび検出線５０の間で接地電位ＧＮＤおよび検出線５０の双方に接続されている。そして、送信制御部は、送信部ＤＲＶのうちで検出線５０に接続された制御信号用入力部Ｄ１である。これにより、第１の実施の形態における信号伝送回路１０００と比較して第２の抵抗Ｒ２を省略できるので、状態検出部を簡単な部品構成で構成することができる。
【００７８】
また、本発明の第１の実施の形態における信号伝送回路１０００Ａにおいて、送信部ＤＲＶの制御信号入力部Ｄ１のＨＩＧＨレベルの入力規格電圧値［ＤＲＶＶＩＨ］と、電源の電圧値［Ｖｃｃ］と、第１の抵抗部の抵抗値［Ｒ１］との関係は、［ＤＲＶＶＩＨ］  ＜  ［Ｖｃｃ］である。
【００７９】
これにより、簡単な部品構成と簡単な電圧条件設定で、アクティブＨＩＧＨの制御方法を信号伝送回路１０００Ａに適用することはできる。すなわち、上述した部品構成と電圧条件設定により、受信パッケージ３０がバックボード２０に実装され、かつ受信パッケージ３０の電源Ｖｃｃがオン状態のとき、状態検出部は、ＨＩＧＨレベルの制御信号を送信制御部へ入力することができる。一方、上述した部品構成と電圧条件設定により、受信パッケージ３０がバックボード２０に実装されていないか、または受信パッケージ３０の電源Ｖｃｃがオフ状態のとき、状態検出部は、ＬＯＷレベルの制御信号を送信制御部へ入力することができる。
【００８０】
＜第３の実施の形態＞
本発明の第３の実施の形態における信号伝送回路１０００Ｂについて、図に基づいて説明する。
【００８１】
図３は、本発明の第１の実施の形態における信号伝送回路１０００Ｂの構成を示す。
【００８２】
図３に示されるように、信号伝送回路１０００Ｂは、送信パッケージ１０と、バックボード２０と、受信パッケージ３０とを有する。また、送信パッケージ１０と受信パッケージ３０は、バックボード２０を介して、信号伝送線４０と検出線５０により接続されている。
【００８３】
ここで、図１と図３を対比する。図１では、送信パッケージ１０側において、検出線５０は、送信回路６０に接続されていない。これに対して、図３では、検出線５０は、送信回路６０にも接続されている。すなわち、送信パッケージ１０側において、検出線５０は、送信部ＤＲＶに接続され、第１の抵抗Ｒ１を介して接地電位ＧＮＤに接続され、さらに送信回路６０にも接続されている。
【００８４】
以降の説明では、第１の実施の形態における信号伝送回路１０００の説明を共通する内容は、省略する。
【００８５】
図３に示されるように、検出線５０は、送信部ＤＲＶと電源Ｖｃｃを接続するとともに、送信回路６０と電源Ｖｃｃを接続する。検出線５０のうち、送信パッケージ１０側は、送信部ＤＲＶと、送信回路６０に接続されている。また、検出線５０のうち、送信パッケージ１０側は、第１の抵抗Ｒ１を介して、接地電位ＧＮＤに接続されている。
【００８６】
図３に示されるように、送信回路６０は、送信パッケージ１０に設けられている。送信回路６０は、送信部ＤＲＶと接続されている。また、送信回路６０は、検出線５０にも接続されている。送信回路６０は、所定の送信信号を生成する。
【００８７】
また、送信回路６０の制御信号用入力部Ｓ１は、検出線５０に接続されている。
【００８８】
また、送信回路６０は、状態検出部の検出結果に応じて、所定の送信信号の生成を停止する。具体的には、送信回路６０は、制御信号用入力部Ｓ１で状態検出部によりＨＩＧＨレベルの信号を受けた場合、所定の送信信号の生成を停止せず、送信信号を生成し続ける。一方、送信回路６０は、制御信号用入力部Ｓ１で状態検出部によりＨＩＧＨレベルの信号を受けた場合、所定の送信信号の生成を停止する。
【００８９】
また、送信回路６０の制御信号用入力部Ｓ１のＨＩＧＨレベルの入力規格電圧値［ＳＥＮＤＶＩＨ］は、以下の式（３）で示す関係を満たすように設定されている。
【００９０】
なお、［Ｖｃｃ］は電源Ｖｃｃの電圧値であり、［Ｒ１］は第１の抵抗部Ｒ１の抵抗値であり、［Ｒ２］は第２の抵抗部Ｒ２の抵抗値である。
【００９１】
［ＳＥＮＤＶＩＨ］  ＜  ［Ｖｃｃ］×［［Ｒ１］／（［Ｒ１］＋［Ｒ２］）］    ・・・（３）
次に、本発明の第３の実施の形態における信号伝送回路１０００Ｂの動作について、説明する。ここで、送信パッケージ１０は、常に、バックボード３０に実装されているものとする。
【００９２】
まず、受信パッケージ３０がバックボード２０に実装され、さらに電源Ｖｃｃがオンされている場合について、説明する。
【００９３】
この場合、送信部ＤＲＶと受信部ＲＣＶは接続される。このため、状態検出部は、接続状態情報で送信部ＤＲＶおよび受信部ＲＣＶが接続している状態を表す。また、受信パッケージ３０の電源Ｖｃｃがオンされている。このため、状態検出部は、電源状態情報で受信パッケージ３０の電源Ｖｃｃがオン状態であることを表す。
【００９４】
そして、電源Ｖｃｃの電圧が第２の抵抗Ｒ２を介して検出線５０および第１の抵抗Ｒ１に印加される。このため、検出線５０の信号線レベルは、［Ｖｃｃ］×［［Ｒ１］／（［Ｒ１］＋［Ｒ２］）］となり、これが送信部ＤＲＶの制御信号用入力部Ｄ１と送信回路６０の制御信号用入力部Ｓ１へ入力電圧となる。
【００９５】
この検出線５０の信号レベルは、送信部ＤＲＶの制御信号用入力部Ｄ１のＨＩＧＨレベルの入力規格電圧値［ＤＲＶＶＩＨ］よりも大きい。したがって、状態検出部は、ＨＩＧＨレベルの信号を送信部ＤＲＶの制御信号用入力部Ｄ１へ入力する。
【００９６】
また、この検出線５０の信号レベルは、送信回路６０の制御信号用入力部Ｓ１のＨＩＧＨレベルの入力規格電圧値［ＳＥＮＤＶＩＨ］よりも大きい。したがって、状態検出部は、ＨＩＧＨレベルの信号を送信回路６０の制御信号用入力部Ｓ１へ入力する。
【００９７】
そして、送信部ＤＲＶの制御信号用入力部Ｄ１は、状態検出部によりＨＩＧＨレベルの信号を受けて、送信部ＤＲＶによる送信信号の送信を停止せず、送信信号を送信し続ける。
【００９８】
また、送信回路６０は、制御信号用入力部Ｓ１で状態検出部によりＨＩＧＨレベルの信号を受けて、所定の送信信号の生成を停止せず、送信信号を生成し続ける。
【００９９】
次に、受信パッケージ３０がバックボード２０に実装されていない場合について、説明する。
【０１００】
この場合、送信部ＤＲＶと受信部ＲＣＶは接続されていない。このため、状態検出部は、接続状態情報で送信部ＤＲＶおよび受信部ＲＣＶが接続されていない状態を表す。
【０１０１】
このとき、電源Ｖｃｃの電圧は、第２の抵抗Ｒ２を介して検出線５０および第１の抵抗Ｒ１に印加されることはない。すなわち、検出線５０の信号レベルは、第１の抵抗Ｒ１および第２の抵抗Ｒ２の並行抵抗による接地電位ＧＮＤへのプルダウンとなる。
【０１０２】
検出線５０の信号レベルは、送信部ＤＲＶの制御信号用入力部Ｄ１の入力規格電圧値［ＤＲＶＶＩＨ］よりも小さくなる。したがって、状態検出部は、ＬＯＷレベルの信号を送信部ＤＲＶの制御信号用入力部Ｄ１へ入力する。
【０１０３】
また、この検出線５０の信号レベルは、送信回路６０の制御信号用入力部Ｓ１のＨＩＧＨレベルの入力規格電圧値［ＳＥＮＤＶＩＨ］よりも小さい。したがって、状態検出部は、ＬＯＷレベルの信号を送信回路６０の制御信号用入力部Ｓ１へ入力する。
【０１０４】
そして、送信部ＤＲＶの制御信号用入力部Ｄ１は、状態検出部によりＬＯＷレベルの信号を受けて、送信部ＤＲＶによる送信信号の送信を停止する。
【０１０５】
また、送信回路６０は、制御信号用入力部Ｓ１で状態検出部によりＬＯＷレベルの信号を受けて、所定の送信信号の生成を停止する。
【０１０６】
次に、受信パッケージ３０がバックボード２０に実装されているが、電源Ｖｃｃがオフになっている場合について、説明する。
【０１０７】
この場合、送信部ＤＲＶと受信部ＲＣＶは接続される。このため、状態検出部は、接続状態情報で送信部ＤＲＶおよび受信部ＲＣＶが接続している状態を表す。また、受信パッケージ３０の電源Ｖｃｃがオフにされている。このため、状態検出部は、電源状態情報で受信パッケージ３０の電源Ｖｃｃがオフ状態であることを表す。
【０１０８】
このとき、電源Ｖｃｃの電圧は、第２の抵抗Ｒ２を介して検出線５０および第１の抵抗Ｒ１に印加されることはない。すなわち、受信パッケージ３０がバックボード２０に実装されていない場合と同様に、検出線５０の信号レベルは、第１の抵抗Ｒ１および第２の抵抗Ｒ２の並行抵抗による接地電位ＧＮＤへのプルダウンとなる。
【０１０９】
検出線５０の信号レベルは、送信部ＤＲＶの制御信号用入力部Ｄ１のＨＩＧＨレベルの入力規格電圧値［ＤＲＶＶＩＨ］よりも小さくなる。したがって、状態検出部は、ＬＯＷレベルの信号を送信部ＤＲＶの制御信号用入力部Ｄ１へ入力する。
【０１１０】
また、この検出線５０の信号レベルは、送信回路６０の制御信号用入力部Ｓ１のＨＩＧＨレベルの入力規格電圧値［ＳＥＮＤＶＩＨ］よりも小さい。したがって、状態検出部は、ＬＯＷレベルの信号を送信回路６０の制御信号用入力部Ｓ１へ入力する。
【０１１１】
そして、送信部ＤＲＶの制御信号用入力部Ｄ１は、状態検出部によりＬＯＷレベルの信号を受けて、送信部ＤＲＶによる送信信号の送信を停止する。
【０１１２】
また、送信回路６０は、制御信号用入力部Ｓ１で状態検出部によりＬＯＷレベルの信号を受けて、所定の送信信号の生成を停止する。
【０１１３】
以上のような構成を有する信号伝送回路１０００Ｂであっても、第１の実施の形態における信号伝送回路１０００と同様の効果を奏することができる。すなわち、本発明の信号伝送回路１０００Ａによれば、受信パッケージのバックボードへの実装有無に加え、受信パッケージの電源オフの検出結果に応じて、送信側の出力を制御し消費電力を低減することができる。
【０１１４】
また、本発明の第３の実施の形態における信号伝送回路１０００Ｂにおいて、送信回路６０は、状態検出部の検出結果に応じて、所定の送信信号の生成を停止する。これにより、送信部ＤＲＶの送信の停止に伴う消費電力の低減に加えて、送信回路６０の送信信号の生成の停止に伴う消費電力の低減をすることができる。したがって、第１の実施の形態における信号伝送回路１０００と比較して、信号伝送回路１０００Ｂ全体の消費電力を更に低減できる。
【０１１５】
本発明の第３の実施の形態における信号伝送回路１０００Ｂにおいて、状態検出部が、接続状態情報で送信部ＤＣＶおよび受信部ＲＣＶが接続されていない状態を表しているか、または、電源状態情報で受信パッケージ３０の電源Ｖｃｃがオフ状態を表している場合に、送信制御部は、送信部ＤＣＶによる送信信号の送信を停止し、送信回路６０は、所定の送信信号の生成を停止する。
【０１１６】
これにより、本発明の信号伝送回路１０００Ｂは、接続状態情報で送信部ＤＣＶおよび受信部ＲＣＶが接続されていない状態を表していることに基づいて、受信パッケージがバックボードに実装されていないとの情報を取得できる。そして、受信パッケージがバックボードに実装されていない場合に、送信制御部は送信部ＤＣＶによる送信信号の送信を停止し、送信回路６０は所定の送信信号の生成を停止する。これにより、信号伝送回路１０００は、送信側の送信信号の生成および出力を制御するので、消費電力を低減することができる。また、本発明の信号伝送回路１０００Ｂでは、電源状態情報で受信パッケージ３０の電源Ｖｃｃがオフ状態を表している場合に、送信制御部は送信部ＤＣＶによる送信信号の送信を停止し、送信回路６０は所定の送信信号の生成を停止する。これにより、信号伝送回路１０００Ｂは、送信側の送信信号の生成および出力を制御するので、消費電力を低減することができる。このように、本発明の信号伝送回路１０００Ｂによれば、受信パッケージのバックボードへの実装が無い場合に加え、受信パッケージの電源がオフの場合に、送信側の送信信号の生成および出力を制御し消費電力を低減することができる。
【０１１７】
本発明の第３の実施の形態における信号伝送回路１０００Ｂにおいて、状態検出部は、接続状態情報で送信部ＤＲＶおよび受信部ＲＣＶが接続されていない状態を表しているか、または、電源状態情報で受信パッケージ３０の電源Ｖｃｃがオフ状態を表している場合に、ＬＯＷレベルの信号を送信制御部へ入力する。一方、状態検出部は、接続状態情報で送信部ＤＲＶおよび受信部ＲＣＶが接続している状態を表し、電源状態情報で受信パッケージ３０の電源Ｖｃｃがオン状態を表している場合に、ＨＩＧＨレベルの信号を送信制御部へ入力する。送信制御部は、状態検出部によりＨＩＧＨレベルの信号を受けた場合、送信部ＤＲＶによる送信信号の送信を停止しない。一方、送信制御部は、状態検出部によりＬＯＷレベルの信号を受けた場合、送信部ＤＲＶによる送信信号の送信を停止する。また、送信回路６０は、状態検出部によりＨＩＧＨレベルの信号を受けた場合、所定の送信信号の生成を停止しない。一方、送信回路６０は、状態検出部によりＬＯＷレベルの信号を受けた場合、所定の送信信号の生成を停止する。
【０１１８】
このように、送信制御部は、状態検出部によりＨＩＧＨレベルの信号を受けたときに送信部ＤＲＶに対して送信信号の送信を継続させて、状態検出部によりＬＯＷレベルの信号を受けたときに送信部ＤＲＶに対して送信信号の送信を停止させるように、設定されている。また、送信回路は、状態検出部によりＨＩＧＨレベルの信号を受けたときに所定の送信信号の生成を継続し、状態検出部によりＬＯＷレベルの信号を受けたときに所定の送信信号の生成を停止するように、設定されている。そして、状態検出部は、接続状態情報で送信部ＤＲＶおよび受信部ＲＣＶが接続されていない状態を表しているか、または、電源状態情報で受信パッケージ３０の電源Ｖｃｃがオフ状態を表している場合に、ＬＯＷレベルの信号を送信制御部へ入力する。一方、状態検出部は、接続状態情報で送信部ＤＲＶおよび受信部ＲＣＶが接続している状態を表し、電源状態情報で受信パッケージ３０の電源Ｖｃｃがオン状態を表している場合に、ＨＩＧＨレベルの信号を送信制御部へ入力する。これにより、本発明の信号伝送回路１０００Ｂに、アクティブＨＩＧＨの制御方法を適用している。すなわち、受信パッケージ３０がバックボード２０に実装され、かつ受信パッケージ３０の電源Ｖｃｃがオン状態のとき、状態検出部は、ＨＩＧＨレベルの制御信号を送信制御部へ入力することができる。一方、受信パッケージ３０がバックボード２０に実装されていないか、または受信パッケージ３０の電源Ｖｃｃがオフ状態のとき、状態検出部は、ＬＯＷレベルの制御信号を送信制御部へ入力することができる。以上のようにして、本発明の信号伝送回路１０００では、アクティブＨＩＧＨの制御方法を適用することで、受信パッケージのバックボードへの実装が無い場合に加え、受信パッケージの電源がオフの場合に、送信側の送信信号の生成および出力の双方を制御し消費電力を低減することができる。
【０１１９】
本発明の第３の実施の形態における信号伝送回路１０００Ｂにおいて、状態検出部は、電源Ｖｃｃと、検出線５０と、第１の抵抗Ｒ１と、第２の抵抗Ｒ２とを備えている。電源Ｖｃｃは、受信パッケージ３０に設けられている。検出線５０は、送信部ＤＲＶと電源Ｖｃｃを接続する。第１の抵抗Ｒ１は、検出線５０に接続された接地電位ＧＮＤおよび送信部ＤＲＶを含む送信パッケージ１０に設けられ、接地電位ＧＮＤおよび検出線５０の間で接地電位ＧＮＤおよび検出線５０の双方に接続されている。第２の抵抗Ｒ２は、受信パッケージ３０に設けられ、電源Ｖｃｃおよび検出線５０の間で電源Ｖｃｃおよび検出線５０の双方に接続されている。そして、送信制御部は、送信部ＤＲＶのうちで検出線５０に接続された制御信号用入力部Ｄ１である。これにより、状態検出部を簡単な部品構成で構成することができる。
【０１２０】
また、本発明の第３の実施の形態における信号伝送回路１０００Ｂにおいて、送信部ＤＲＶの制御信号入力部Ｄ１のＨＩＧＨレベルの入力規格電圧値［ＤＲＶＶＩＨ］と、電源の電圧値［Ｖｃｃ］と、第１の抵抗部の抵抗値［Ｒ１］と、第２の抵抗部の抵抗値［Ｒ２］との関係は、［ＤＲＶＶＩＨ］  ＜  ［Ｖｃｃ］×［［Ｒ１］／（［Ｒ１］＋［Ｒ２］）］である。また、送信回路６０の制御信号入力部Ｓ１のＨＩＧＨレベルの入力規格電圧値［ＳＥＮＤＶＩＨ］と、電源Ｖｃｃの電圧値［Ｖｃｃ］と、第１の抵抗部の抵抗値［Ｒ１］と、第２の抵抗部の抵抗値Ｒ２との関係は、［ＳＥＮＤＶＩＨ］＜［Ｖｃｃ］×［［Ｒ１］／（［Ｒ１］＋［Ｒ２］）］である。
【０１２１】
これにより、簡単な部品構成と簡単な電圧条件設定で、アクティブＨＩＧＨの制御方法を信号伝送回路１０００Ｂに適用することができる。すなわち、上述した部品構成と電圧条件設定により、受信パッケージ３０がバックボード２０に実装され、かつ受信パッケージ３０の電源Ｖｃｃがオン状態のとき、状態検出部は、ＨＩＧＨレベルの制御信号を送信制御部および送信回路６０へ入力することができる。一方、上述した部品構成と電圧条件設定により、受信パッケージ３０がバックボード２０に実装されていないか、または受信パッケージ３０の電源Ｖｃｃがオフ状態のとき、状態検出部は、ＬＯＷレベルの制御信号を送信制御部および送信回路６０へ入力することができる。
【０１２２】
なお、本実施の形態では、受信パッケージ３０には、受信部ＲＣＶと、電源Ｖｃｃと、第２の抵抗Ｒ２が設けられた例を示した。一方、受信パッケージ３０に、第２の抵抗Ｒ２を設けなくてもよい。すなわち、第２の実施の形態と同様に、受信パッケージ３０に、受信部ＲＣＶと電源Ｖｃｃのみが設けられてもよい。
【０１２３】
＜第４の実施の形態＞
本発明の第４の実施の形態における信号伝送回路１０００Ｃについて、図に基づいて説明する。
【０１２４】
図４は、本発明の第４の実施の形態における信号伝送回路１０００Ｃの構成を示す。
【０１２５】
図４に示されるように、信号伝送回路１０００Ｃは、送信パッケージ１０Ａと、バックボード２０Ｂと、複数の受信パッケージ３０とを有する。また、送信パッケージ１０Ａと複数の受信パッケージ３０の各々は、バックボード２０Ａを介して、信号伝送線４０と検出線５０により接続されている。
【０１２６】
ここで、図１と図４を対比する。図１では、送信パッケージ１０には、送信回路６０、送信部ＤＲＶ、第１の抵抗Ｒ１および接地電位ＧＮＤは、それぞれ１つずつ設けられていた。これに対して、図４では、送信回路６０、送信部ＤＲＶ、第１の抵抗Ｒ１および接地電位ＧＮＤは、複数個設けられている。また、図１では、受信パッケージ３０は、１つだけ設けられていた。これに対して、図４では、受信パッケージ３０は、複数個設けられている。また、図１では、バックボード２０には、信号伝送線４０と検出線５０が、それぞれ１本ずつ架線されていた。これに対して、図４では、バックボード２０Ａには、複数の信号伝送線４０と検出線５０が架線されている。
【０１２７】
図４に示されるように、送信パッケージ１０Ａ中の１組の送信回路６０、送信部ＤＲＶ、第１の抵抗Ｒ１および接地電位ＧＮＤと、受信パッケージ３０と、バックボード２０Ａ中の１組の信号伝送線４０および検出線５０とを組み合わせた回路は、第１の実施の形態における信号伝送回路１０００に相当する。すなわち、第４の実施の形態における信号伝送回路１０００Ｃは、第１の実施の形態における信号伝送回路１０００を複数個並列に配置した回路である。
【０１２８】
送信パッケージ１０Ａは、バックボード２０Ａに実装することができる。また、複数の受信パッケージ３０の各々は、バックボード２０Ａに実装することができる。
【０１２９】
このような構成を採用することにより、各状態検出部（検出線５０、電源Ｖｃｃ、接地電位ＧＮＤ、第１の抵抗Ｒ１および第２の抵抗Ｒ２の１組合せ）が、接続状態情報として、送信部ＤＲＶおよび受信部ＲＣＶが信号伝送路を介して接続されているか否かを表す情報を取得するとともに、電源状態情報として、受信パッケージ３０の電源Ｖｃｃがオン状態かオフ状態かを表す情報を検出する。このため、信号伝送回路１０００Ｃは、送信部ＤＲＶおよび受信部ＲＣＶの間の接続状態から、受信パッケージ３０毎に各受信パッケージ３０がバックボード２０Ａに実装されているか否かの情報を取得できる。さらに、信号伝送回路１０００Ｃは、各受信パッケージ３０のバックボード２０Ａへの実装有無に関する情報に加えて、各電源Ｖｃｃのオンオフ状態を表す情報を取得できる。また、各送信制御部は、各状態検出部の検出結果に応じて、送信部ＤＲＶによる送信信号の送信を停止する。したがって、本発明の信号伝送回路１０００Ｃによれば、受信パッケージ３０のバックボード２０Ａへの実装有無に加え、受信パッケージ３０の電源オフの検出結果に応じて、送信側の出力を複数の受信パッケージ３０の各々毎に制御し消費電力を低減することができる。
【０１３０】
前記の実施の形態の一部または全部は、以下の付記のようにも記載されうるが、以下に限定されない。
（付記１）
所定の送信信号を生成する送信回路と、
前記送信回路により生成された送信信号を送信する送信部と、
前記送信部より送信された送信信号を受信する受信部と、
前記受信部を含み、電源の供給を受けると電源オン状態となり、前記電源の供給を受けないと電源オフ状態に設定される受信パッケージと、
前記送信部および前記受信部の間を接続または切断することができ、前記送信信号を前記送信部から前記受信部へ伝送するための信号伝送路と、
前記送信部および前記受信部が前記信号伝送路を介して接続されているか否かを表す接続状態情報と、前記受信パッケージの電源がオン状態かオフ状態かを表す電源状態情報とを検出する状態検出部と、
前記状態検出部の検出結果に応じて、前記送信部による前記送信信号の送信を停止する送信制御部とを備えた信号伝送回路。
（付記２）
前記状態検出部が、前記接続状態情報で前記送信部および前記受信部が接続されていない状態を表しているか、または、電源状態情報で前記受信パッケージの電源がオフ状態を表している場合に、前記送信制御部は、前記送信部による前記送信信号の送信を停止する付記１に記載の信号伝送回路。
（付記３）
前記状態検出部は、
前記接続状態情報で前記送信部および前記受信部が接続されていない状態を表しているか、または、電源状態情報で前記受信パッケージの電源がオフ状態を表している場合に、ＬＯＷレベルの信号を前記送信制御部へ入力し、
前記接続状態情報で前記送信部および前記受信部が接続している状態を表し、電源状態情報で前記受信パッケージの電源がオン状態を表している場合に、ＨＩＧＨレベルの信号を前記送信制御部へ入力し、
前記送信制御部は、
前記状態検出部によりＨＩＧＨレベルの信号を受けた場合、前記送信部による前記送信信号の送信を停止せず、
前記状態検出部によりＬＯＷレベルの信号を受けた場合、前記送信部による前記送信信号の送信を停止する付記２に記載の信号伝送回路。
（付記４）
前記状態検出部は、
前記受信パッケージに設けられた電源と、
前記送信部と前記電源を接続する検出線と、
前記検出線に接続された接地電位および前記送信部を含む送信パッケージに設けられ、前記接地電位および前記検出線の間で前記接地電位および前記検出線の双方に接続された第１の抵抗部と、
前記受信パッケージに設けられ、前記電源および前記検出線の間で前記電源および前記検出線の双方に接続された第２の抵抗部とを備え、
前記送信制御部は、前記送信部のうちで前記検出線に接続された制御信号用入力部である付記３に記載の信号伝送回路。
（付記５）
前記送信部の制御信号入力部のＨＩＧＨレベルの入力規格電圧値［ＤＲＶＶＩＨ］と、電源の電圧値［Ｖｃｃ］と、第１の抵抗部の抵抗値［Ｒ１］と、第２の抵抗部の抵抗値［Ｒ２］との関係は、
［ＤＲＶＶＩＨ］  ＜  ［Ｖｃｃ］×［［Ｒ１］／（［Ｒ１］＋［Ｒ２］）］
である付記４に記載の信号伝送回路。
（付記６）
前記状態検出部は、
前記受信パッケージに設けられた電源と、
前記送信部と前記電源を接続する検出線と、
前記検出線に接続された接地電位および前記送信部を含む送信パッケージに設けられ、前記接地電位および前記検出線の間で前記接地電位および前記検出線の双方に接続された第１の抵抗部とを備え、
前記送信制御部は、前記送信部のうちで前記検出線に接続された制御信号用入力部である付記３に記載の信号伝送回路。
（付記７）
前記送信部の制御信号入力部のＨＩＧＨレベルの入力規格電圧値［ＤＲＶＶＩＨ］と、電源の電圧値［Ｖｃｃ］と、第１の抵抗部の抵抗値［Ｒ１］との関係は、
［ＤＲＶＶＩＨ］  ＜  ［Ｖｃｃ］
である付記６に記載の信号伝送回路。
（付記８）
前記送信回路は、前記状態検出部の検出結果に応じて、前記所定の送信信号の生成を停止する付記１に記載の信号伝送回路。
（付記９）
前記状態検出部が、前記接続状態情報で前記送信部および前記受信部が接続されていない状態を表しているか、または、電源状態情報で前記受信パッケージの電源がオフ状態を表している場合に、前記送信制御部は、前記送信部による前記送信信号の送信を停止し、前記送信回路は、前記所定の送信信号の生成を停止する付記８に記載の信号伝送回路。
（付記１０）
前記状態検出部は、
前記接続状態情報で前記送信部および前記受信部が接続されていない状態を表しているか、または、電源状態情報で前記受信パッケージの電源がオフ状態を表している場合に、ＬＯＷレベルの信号を前記送信制御部へ入力し、
前記接続状態情報で前記送信部および前記受信部が接続している状態を表し、電源状態情報で前記受信パッケージの電源がオン状態を表している場合に、ＨＩＧＨレベルの信号を前記送信制御部へ入力し、
前記送信制御部は、
前記状態検出部によりＨＩＧＨレベルの信号を受けた場合、前記送信部による前記送信信号の送信を停止せず、
前記状態検出部によりＬＯＷレベルの信号を受けた場合、前記送信部による前記送信信号の送信を停止し、
前記送信回路は、
前記状態検出部によりＨＩＧＨレベルの信号を受けた場合、前記所定の送信信号の生成を停止せず、
前記状態検出部によりＬＯＷレベルの信号を受けた場合、前記所定の送信信号の生成を停止する付記９に記載の信号伝送回路。
（付記１１）
前記状態検出部は、
前記受信パッケージに設けられた電源と、
前記送信部と前記電源を接続するとともに、前記送信回路と前記電源を接続する検出線と、
前記検出線に接続された接地電位および前記送信部を含む送信パッケージに設けられ、前記接地電位および前記検出線の間で前記接地電位および前記検出線の双方に接続された第１の抵抗部と、
前記受信パッケージに設けられ、前記電源および前記検出線の間で前記電源および前記検出線の双方に接続された第２の抵抗部とを備え、
前記送信制御部は、前記送信部のうちで前記検出線に接続された制御信号用入力部である付記１０に記載の信号伝送回路。
（付記１２）
前記送信部の制御信号入力部のＨＩＧＨレベルの入力規格電圧値［ＤＲＶＶＩＨ］と、電源の電圧値［Ｖｃｃ］と、第１の抵抗部の抵抗値［Ｒ１］と、第２の抵抗部の抵抗値Ｒ２との関係は、
［ＤＲＶＶＩＨ］＜［Ｖｃｃ］×［［Ｒ１］／（［Ｒ１］＋［Ｒ２］）］
であって、
前記送信回路の制御信号入力部のＨＩＧＨレベルの入力規格電圧値［ＳＥＮＤＶＩＨ］と、電源の電圧値Ｖｃｃと、第１の抵抗部の抵抗値［Ｒ１］と、第２の抵抗部の抵抗値Ｒ２との関係は、
［ＳＥＮＤＶＩＨ］＜［Ｖｃｃ］×［［Ｒ１］／（［Ｒ１］＋［Ｒ２］）］
である付記１１に記載の信号伝送回路。
【０１３１】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０１３２】
１０  送信パッケージ
１０Ａ  送信パッケージ
２０  バックボード
２０Ａ  バックボード
３０  受信パッケージ
４０  信号伝送線
５０  検出線
６０  送信回路
１０００  信号伝送回路
ＤＲＶ  送信部
Ｄ１  送信部の制御信号用入力部
Ｓ１  送信回路の制御信号用入力部
ＲＣＶ  受信部
Ｖｃｃ  電源
Ｒ１  第１の抵抗
Ｒ２  第２の抵抗
ＧＮＤ  接地電位
【図１】
2014085765.tif 000003
【図２】
2014085765.tif 000004
【図３】
2014085765.tif 000005
【図４】
2014085765.tif 000006